(57)【要約】【課題】閉鎖部材による上部側内扉と下部側内扉間の気密性を改善し、且つ、商品収納部内における熱移動も低減させた自動販売機を提供する。【解決手段】商品収納部の前面上部を開閉する上部側内扉１８と、上部側内扉の下方において商品収納部の前面下部を開閉する下部側内扉１９と、本体に取り付けられ、この本体の幅方向に渡る閉鎖部材４０を備え、閉鎖部材は、金属製の基材４１の表面に樹脂コーティングを施して成り、且つ、当該樹脂コーティングと一体に成形された長手方向に渡る複数のヒレ部４３〜４５を有し、上部側内扉及び下部側内扉が閉じられた状態で、各ヒレ部が各内扉にそれぞれ密接すると共に、閉鎖部材は各内扉間の隙間を閉鎖する。【選択図】図３
2014056384.tif 000002
【特許請求の範囲】
【請求項１】
本体内に構成され、前面が開口した商品収納部と、該商品収納部の前面上部を開閉する上部側内扉と、該上部側内扉の下方において前記商品収納部の前面下部を開閉する下部側内扉とを備えた自動販売機において、
前記本体に取り付けられ、該本体の幅方向に渡る閉鎖部材を備え、
該閉鎖部材は、金属製の基材表面に樹脂コーティングを施して成り、且つ、当該樹脂コーティングと一体に成形された長手方向に渡る複数のヒレ部を有し、
前記上部側内扉及び下部側内扉が閉じられた状態で、前記各ヒレ部が各内扉にそれぞれ密接すると共に、前記閉鎖部材は各内扉間の隙間を閉鎖することを特徴とする自動販売機。
【請求項２】
前記商品収納部内に前方に引き出し可能に設けられ、商品を収納する複数の商品収納コラムを備え、
前記閉鎖部材は、前記各商品収納コラム間に渡ってそれらの前端に当接することを特徴とする請求項１に記載の自動販売機。
【請求項３】
前記閉鎖部材は、上部に位置して前記上部側内扉の背面に密接する上ヒレ部と、下部に位置して前記下部側内扉の背面に密接する下ヒレ部と、これら上下ヒレ部間に位置して前記下部側内扉の上面に密接する中ヒレ部とを有することを特徴とする請求項１又は請求項２に記載の自動販売機。
【請求項４】
前記上ヒレ部は、前記閉鎖部材の上端部から斜め前下方に向かって突出しており、斜め前上方に向いて膨らむように湾曲していることを特徴とする請求項３に記載の自動販売機。
【請求項５】
前記閉鎖部材は、斜め前上方に突出する突出部を長手方向に渡って備え、前記中ヒレ部は前記突出部の下面から斜め後下方に向かって突出し、斜め前下方に向いて膨らむように湾曲していることを特徴とする請求項３又は請求項４に記載の自動販売機。
【請求項６】
前記閉鎖部材は、前記本体に設けられた取付板と当該本体間に形成された隙間に上方から差し込まれることにより、前記本体に取り付けられると共に、
前記下ヒレ部は、前記閉鎖部材の下端部から斜め前下方に向かって突出しており、斜め後下方に向いて膨らむように湾曲していることを特徴とする請求項３乃至請求項５のうちの何れかに記載の自動販売機。
【発明の詳細な説明】
【技術分野】
【０００１】
本発明は、商品が収納される商品収納部の前面を、上部側内扉と下部側内扉にて開閉自在に閉塞して成る自動販売機に関する。
【背景技術】
【０００２】
従来よりこの種自動販売機では、断熱箱体から成る本体内に前面が開口した商品収納部が構成されており、この商品収納部の前面上部と下部を上部側内扉と下部側内扉にてそれぞれ開閉自在に閉塞している。この上部側内扉は、商品収納部内に設けられた商品収納コラムの商品投入口に対応しており、外扉と共に開閉されるよう構成されている。また、下部側内扉は上記商品投入口より下方において商品収納部を閉塞するように構成されている。
【０００３】
また、本体には上部側内扉と下部側内扉の間に対応する位置に、合成樹脂製の閉鎖部材が取り付けられている。この閉鎖部材は、両内扉が閉じられた状態で各内扉に当接し、各内扉間を閉鎖すると共に、商品収納部内に引き出し可能に設けられる上記商品収納コラムが前方に移動することも阻止する。更に、当該閉鎖部材や下部側内扉に付着した結露水を本体内に案内して排出する役割も果たしていた（例えば、特許文献１参照）。
【先行技術文献】
【特許文献】
【０００４】
【特許文献１】特開２００８−２９９３９０号公報
【発明の概要】
【発明が解決しようとする課題】
【０００５】
しかしながら、係る従来の合成樹脂製閉鎖部材は強度が不十分である。そこで、閉鎖部材を板金製とすると、この閉鎖部材を伝って商品収納部内に画成された冷温切換室や冷却専用室間の熱移動が発生し、冷却或いは加熱性能が低下するという問題があった。また、前記特許文献１のように各内扉にはパッキンが取り付けられ、閉鎖部材は各内扉のパッキンに当接して両内扉間をシールするものであるが、内扉側のパッキンのみではシール性が不足すると共に、通常軟質のスポンジ状シール材から成るパッキンは経年使用で潰れるため、気密性が劣化する問題もあった。
【０００６】
本発明は、係る従来の技術的課題を解決するためになされたものであり、閉鎖部材による上部側内扉と下部側内扉間の気密性を改善し、且つ、商品収納部内における熱移動も低減させた自動販売機を提供することを目的とする。
【課題を解決するための手段】
【０００７】
上記課題を解決するために本発明の自動販売機は、本体内に構成され、前面が開口した商品収納部と、この商品収納部の前面上部を開閉する上部側内扉と、この上部側内扉の下方において商品収納部の前面下部を開閉する下部側内扉とを備えたものであって、本体に取り付けられ、この本体の幅方向に渡る閉鎖部材を備え、この閉鎖部材は、金属製の基材表面に樹脂コーティングを施して成り、且つ、当該樹脂コーティングと一体に成形された長手方向に渡る複数のヒレ部を有し、上部側内扉及び下部側内扉が閉じられた状態で、各ヒレ部が各内扉にそれぞれ密接すると共に、閉鎖部材は各内扉間の隙間を閉鎖することを特徴とする。
【０００８】
請求項２の発明の自動販売機は、上記発明において商品収納部内に前方に引き出し可能に設けられ、商品を収納する複数の商品収納コラムを備え、閉鎖部材は、各商品収納コラム間に渡ってそれらの前端に当接することを特徴とする。
【０００９】
請求項３の発明の自動販売機は、上記各発明において閉鎖部材は、上部に位置して上部側内扉の背面に密接する上ヒレ部と、下部に位置して下部側内扉の背面に密接する下ヒレ部と、これら上下ヒレ部間に位置して下部側内扉の上面に密接する中ヒレ部とを有することを特徴とする。
【００１０】
請求項４の発明の自動販売機は、上記発明において上ヒレ部は、閉鎖部材の上端部から斜め前下方に向かって突出しており、斜め前上方に向いて膨らむように湾曲していることを特徴とする。
【００１１】
請求項５の発明の自動販売機は、請求項３又は請求項４の発明において閉鎖部材は、斜め前上方に突出する突出部を長手方向に渡って備え、中ヒレ部は突出部の下面から斜め後下方に向かって突出し、斜め前下方に向いて膨らむように湾曲していることを特徴とする。
【００１２】
請求項６の発明の自動販売機は、請求項３乃至請求項５の発明において閉鎖部材は、本体に設けられた取付板と当該本体間に形成された隙間に上方から差し込まれることにより、本体に取り付けられると共に、下ヒレ部は、閉鎖部材の下端部から斜め前下方に向かって突出しており、斜め後下方に向いて膨らむように湾曲していることを特徴とする。
【発明の効果】
【００１３】
本発明は、本体内に構成され、前面が開口した商品収納部と、この商品収納部の前面上部を開閉する上部側内扉と、この上部側内扉の下方において商品収納部の前面下部を開閉する下部側内扉とを備えた自動販売機において、本体に取り付けられ、この本体の幅方向に渡る閉鎖部材を備え、この閉鎖部材には、金属製の基材表面に樹脂コーティングを施したので、閉鎖部材を伝わることで商品収納部内に画成された室間に生じる熱移動を抑制することが可能となり、冷却或いは加熱性能の悪化を解消若しくは抑制することができるようになる。
【００１４】
特に、樹脂コーティングには長手方向に渡る複数のヒレ部を一体に成形し、上部側内扉及び下部側内扉が閉じられた状態で、各ヒレ部が各内扉にそれぞれ密接するようにしたので、各ヒレ部と内扉との密接により閉鎖部材と各内扉間の気密性を向上させ、閉鎖部材による各内扉間の隙間のシール性を大幅に改善することができるようになり、両内扉を閉じた状態での商品収納部からの冷気や暖気の漏洩を効果的に阻止することが可能となる。また、上部側内扉を開放し、下部側内扉を閉じた状態では商品収納部内下部からの冷気や暖気の流出も効果的に抑制されるものである。
【００１５】
特に、請求項２の発明の如く商品収納部内に前方に引き出し可能に設けられて商品を収納する複数の商品収納コラム間に渡って閉鎖部材が設けられ、各商品収納コラムの前端に当接する場合には、閉鎖部材により商品収納コラムの前方への移動を阻止しながら、商品収納コラムから閉鎖部材を経由して他の商品収納コラムに直接伝わる熱移動も効果的に解消若しくは低減することが可能となる。
【００１６】
また、請求項３の発明の如く閉鎖部材に、上部に位置して上部側内扉の背面に密接する上ヒレ部と、下部に位置して下部側内扉の背面に密接する下ヒレ部と、これら上下ヒレ部間に位置して下部側内扉の上面に密接する中ヒレ部とを形成すれば、上部側内扉では背面において、下部側内扉では上面と背面の両方で閉鎖部材との間がシールされるので、気密性は一段と向上する。
【００１７】
このとき、上部側内扉では背面のみ上ヒレ部が密接し、上部側内扉の下部側内扉側の面にはヒレ部は密接しないので、万一上部側内扉が自重で下がってしまった場合にも、閉鎖部材のヒレ部が干渉して上部側内扉が閉め難くなる不都合を未然に回避することが可能となる。
【００１８】
特に、請求項４の発明の如く上ヒレ部を、閉鎖部材の上端部から斜め前下方に向かって突出させ、斜め前上方に向いて膨らむように湾曲させれば、上部側内扉の閉鎖に伴い、上ヒレ部を円滑に変形させ、その表面を上部側内扉の背面に広い範囲で密接させることができるようになる。
【００１９】
また、請求項５の発明の如く、閉鎖部材が斜め前上方に突出する突出部を長手方向に渡って備えている場合に、中ヒレ部を突出部の下面から斜め後下方に向かって突出させ、斜め前下方に向いて膨らむように湾曲させれば、下部側内扉の閉鎖に伴い、中ヒレ部を円滑に変形させ、その表面を下部側内扉の上面に広い範囲で密接させることができるようになる。
【００２０】
更に、請求項６の発明の如く閉鎖部材を、本体に設けられた取付板と当該本体間に形成された隙間に上方から差し込んで本体に取り付ける場合に、下ヒレ部を閉鎖部材の下端部から斜め前下方に向かって突出させ、斜め後下方に向いて膨らむように湾曲させることにより、本体と取付板との隙間に下ヒレ部をその湾曲形状を利用して上から差し込んでいくことで、支障無く閉鎖部材を取り付けることができるようになる。尚、下部側内扉が閉じられた場合には、下ヒレ部は変形してその表面が下部側内扉の背面に密接するので、閉鎖部材と下部側内扉間は支障無くシールされることになる。
【図面の簡単な説明】
【００２１】
【図１】本発明の自動販売機の一実施形態を示すものであり、外扉、上部側内扉及び下部側内扉を開いた状態の実施例の自動販売機の斜視図である。
【図２】図１の自動販売機の縦断側面図である。
【図３】図１の自動販売機の上部側内扉と下部側内扉を開いた状態の閉鎖部材と各内扉の要部拡大縦断側面図である。
【図４】図３の閉鎖部材の側面図である。
【図５】図１の自動販売機の閉鎖部材とそれを取り付ける取付板部分の斜視図である。
【図６】図３の自動販売機の上部側内扉と下部側内扉を閉じた状態の閉鎖部材と各内扉の要部拡大縦断側面図である。
【発明を実施するための形態】
【００２２】
以下、本発明の実施の形態について、図面に基づき詳細に説明する。図１乃至図３において、実施例の自動販売機１は、前面が開口した本体（自動販売機本体）１０と、この本体１０の前面開口を開閉自在に閉塞する外扉２０とから構成されており、外扉２０の左右方向（幅方向）における一側（実施例では向かって左側）が本体１０の一側（向かって左側）に回動自在に枢支されている。
【００２３】
本体１０の内部には、上面、底面、背面及び左右側面が断熱壁１１によって囲繞された商品収納部１３が構成されており、この商品収納部１３も前面が開口している。そして、この商品収納部１３内は複数の断熱性仕切板１２によって幅方向に仕切られており、これにより、商品収納部１３内に冷却専用室１３Ａと冷温切換室（冷却と加熱を切換可能）１３Ｂが画成されている。
【００２４】
商品収納部１３の各室１３Ａ、１３Ｂ内には、商品を収納する商品収納コラム３０が前後方向及び左右方向に並べられて設けられている。この場合、商品収納部１３内の天井には、前後方向に延在する少なくとも幅方向一対のコラム支持レール１４が設けられており、各商品収納コラム３０はこのコラム支持レール１４に前方に引き出し可能に吊り下げられている。
【００２５】
商品収納部１３の下部には、各商品収納コラム３０の下端から落下搬出される商品を外扉２０に設けられた商品取出口２１に案内する商品案内板１５が前方に向かって低く傾斜するように設けられている。また、冷却専用室１３Ａの商品案内板１５の下方には商品収納部１３を冷却するための冷却器１６及び送風機１７が設けられている。尚、冷温切換室１３Ｂの場合には、商品案内板１５の下方に同様の冷却器と送風機に加えて、放熱器や電熱ヒータが設けられる。
【００２６】
商品収納コラム３０は、サーペンタイン式の周知の構造を有するものであり、上部の商品投入口３１から投入された商品を蛇行状の商品通路３２に収納し、商品通路３２の下端に設けた商品搬出機構３３によって商品通路３２内の商品を一個ずつ下方に落下搬出する構造とされている。この商品収納コラム３０の上端側には前記コラム支持レール１４と係合可能な係合フック３４が前後方向に延びるように設けられ、商品収納部１３内に商品収納コラム３０が着脱自在に取り付けられる構造とされている。
【００２７】
また、商品収納部１３の前面には、前記各室１３Ａ、１３Ｂ内の各商品収納コラム３０の商品投入口３１が位置する商品収納部１３の前面上部を開閉自在に閉塞する上部側内扉１８と、この上部側内扉１８の下方に位置して商品投入口３１の下側の商品収納コラム３０が位置する商品収納部１３の前面下部を開閉自在に閉塞する下部側内扉１９が設けられている。この場合、各内扉１８、１９は一側（向かって左側）が本体１０に回動自在に枢支されている。また、上部側内扉１８及び下部側内扉１９には、それぞれ商品収納部１３側の面の周縁部に沿って軟質樹脂製スポンジ材等から成るパッキン１８Ａ、１９Ａが取り付けられている。パッキン１８Ａは図３に示すように上部側内扉１８の背面から下面に渡って貼付され、パッキン１９Ａは下部側内扉１９の背面から上面に渡って貼付されており、それぞれ上部側内扉１８、下部側内扉１９の一部となる。
【００２８】
そして、上部側内扉１８及び下部側内扉１９を閉じて商品収納部１３を閉鎖すると、上部側内扉１８の上側及び左右両側のパッキン１８Ａと下部側内扉１９の下側及び左右両側のパッキン１９Ａが商品収納部１３の開口周縁の本体１０に密接する。一方、上部側内扉１８の下側と下部側内扉１９の上側のパッキン１８Ａ、１９Ａは後述する閉鎖部材４０と密接する。これらにより、商品収納部１３の気密性を保持する構成とされている。また、下部側内扉１９の上面は外扉２０側から商品収納部１３側に向かって低くなるように傾斜しており、そこが傾斜部１９Ｂとされている。
【００２９】
そして、本発明では商品収納部１３の前面において、上部側内扉１８の下端と下部側内扉１９の上端との間の隙間を背面側から覆うように幅方向に渡る前記閉鎖部材４０が、本体１０に取り付けられる。この閉鎖部材４０は、図５に示すように商品収納部１３の幅方向両側の開口縁に取り付けられた取付板６０から内方に突出したフランジ６０Ａと本体１０間の隙間Ｇにその長手方向の端部を上方から差し込むことにより、本体１０に着脱自在に取り付けられる。
【００３０】
尚、実施例では閉鎖部材４０の長手方向の両端を取付板６０で本体に取り付けているが、それに限らず、何れか一方は異なる取付方式でも差し支えなく、少なくとも一方が取付板６０にて取り付けられていればよい。
【００３１】
また、閉鎖部材４０は商品収納部１３前面において本体１０に取り付けられることにより、商品収納部１３の各室１３Ａ、１３Ｂ内の最前列に位置する商品収納コラム３０間に渡っており、各商品収納コラム３０の前端が当接する。これにより、商品収納コラム３０が前方に移動してしまうことを阻止する位置決めの役割を果たす。
【００３２】
次に、図３及び図４を参照しながら本発明を適用した一実施例の閉鎖部材３０の構造について説明する。閉鎖部材４０は、本体１０の商品収納部１３の前面開口に渡る長さを有する金属製（板金）の基材４１から構成されている。この基材４１には、ロールフォーミングにより前面の上下方向における略中央から斜め前上方に延在した延出部４１Ａが長手方向に渡って形成されており、この延出部４１Ａが閉鎖部材４０の斜め前上方に突出する突出部４０Ａを構成する。
【００３３】
そして、この延出部４１Ａを含む基材４１の全表面には、エラストマー等のゴム系の軟質樹脂層４２がコーディングされている。この樹脂層４２の厚みはコンマ数ミリという極めて薄いものであるが、所要の断熱性能を奏するものである。また、樹脂層４２のコーティングは基材４１のロールフォーミングから連続して施されるものであるが、係る樹脂層４２の形成と同時に薄肉（厚さ１ｍｍ程）軟質の上ヒレ部４３、中ヒレ部４４、及び、下ヒレ部４５が当該樹脂層４２と一体的に長手方向に渡って成形されている。尚、各ヒレ部４３〜４５の厚みは、実施例では基材４１と樹脂層４２を合わせた厚み以下に設定される。
【００３４】
この場合、上ヒレ部４３は図４に示す如く閉鎖部材４０の上部に位置しており、実施例では閉鎖部材４０の上端部から斜め前下方に向かって突出し、斜め前上方に向いて膨らむように所定曲率で湾曲している。また、下ヒレ部４５は閉鎖部材４０の下部に位置しており、実施例では閉鎖部材４０の下端部から斜め前下方に向かって突出し、斜め後下方に向いて膨らむように所定曲率の湾曲している。
【００３５】
これら上下ヒレ部４３、４５の間に中ヒレ部４４が位置し、実施例では閉鎖部材４０の突出部４０Ａの下面から斜め後下方に向かって突出し、斜め前下方に向いて膨らむように所定曲率で湾曲している。また、閉鎖部材４０の後面には、突出部４０Ａより下側となる位置に軟質スポンジ状のパッキン４６が長手方向に渡って貼付されている。
【００３６】
以上の構成の閉鎖部材４０を本体１０に取り付ける際には、図５に白抜き矢印で示すように取付板６０のフランジ６０Ａと本体１０間の隙間Ｇに、長手方向の端部に位置する下ヒレ部４５の下端（先端）を上方から差し込む。このとき、下ヒレ部４５の厚みは閉鎖部材４０と同等以下であるので支障無く挿入できると共に、図５の状態から上側を斜め手前に傾斜させ、下ヒレ部４５先端を真下に向けた状態で長手方向の端部を隙間Ｇに挿入した後、下ヒレ部４５の湾曲形状を利用し、図５に示すような垂直状態に戻すように回転させ、更に下げていくことにより、閉鎖部材４０の端部を隙間Ｇ内に円滑に差し込むことができる。そして、突出部４０Ａ基部の下面が取付板６０に当接したところで閉鎖部材４０はそれ以上挿入できなくなり、取付板６０と本体１０間に保持される。このようにして閉鎖部材４０は本体１０に着脱可能に取り付けられる。
【００３７】
このように取り付けられた状態で、閉鎖部材４０後面のパッキン４６は各仕切板１２の前端に密接する。また、各室１３Ａ、１３Ｂ内に吊り下げられた最前列の商品収納コラム３０もパッキン４６に密接するので、それらの位置決めが成される。また、閉鎖部材４０は冷却専用室１３Ａから冷温切換室１３Ｂに渡って設けられることになる。
【００３８】
従って、特に冷温切換室１３Ｂが加熱状態で使用されるときは、閉鎖部材４０自体を伝わる冷却専用室１３Ａと冷温切換室１３Ｂ間の熱移動が問題となる。即ち、冷却専用室１３Ａは冷温切換室１３Ｂから加熱作用を受け、冷温切換室１３Ｂは逆に冷却専用室１３Ａから冷却作用を受けることになり、自動販売機１の運転効率が著しく低下するからである。しかしながら、本発明では閉鎖部材４０の全表面を断熱性の樹脂層４２にてコーティングしているので、係る室１３Ａ、１３Ｂ間の熱移動は効果的に阻止若しくは抑制される。
【００３９】
また、本体１０に取り付けられた状態で、閉鎖部材４０は上部側内扉１８の下端と下部側内扉１９の上端を跨ぐ位置に来る。従って、図３中白抜き矢印で示すように上部側内扉１８及び下部側内扉１９を本体１０側に回動させて閉じると、図６に示すように突出部４０Ａが上部側内扉１８と下部側内扉１９間に進入し、上部側内扉１８の下側のパッキン１８Ａ及び下部側内扉１９の上側のパッキン１９Ａがそれぞれ閉鎖部材４０の前面に当接し、各内扉１８、１９間が閉鎖されて商品収納部１３内が密閉される。
【００４０】
このとき、閉鎖部材４０の上ヒレ部４３は上部側内扉１８の背面に位置する下側のパッキン１８Ａに密接し、中ヒレ部４４は下部側内扉１９の上面に位置する上側のパッキン１９Ａに密接する。また、下ヒレ部４５は下部側内扉１９の背面に位置する上側のパッキン１９Ａに密接する（図６）。これにより、閉鎖部材４０と上部側内扉１８及び下部側内扉１９間は高い気密性でシールされることになる。
【００４１】
特に、実施例の上ヒレ部４３は閉鎖部材４０の上端部から斜め前下方に向かって突出し、斜め前上方に向いて膨らむように湾曲しているので、上部側内扉１８の閉鎖に伴い、上ヒレ部４３の先端は本体１０側に円滑に変形していき、その表面が上部側内扉１８の背面のパッキン１８Ａに広い範囲で密接するようになる。これにより、閉鎖部材４０と上部側内扉１８間は高い気密性でシールされる（図６）。
【００４２】
また、実施例の中ヒレ部４４は突出部４０Ａの下面から斜め後下方に向かって突出し、斜め前下方に向いて膨らむように湾曲しているので、下部側内扉１９の閉鎖に伴い、中ヒレ部４４の先端は本体１０側に円滑に変形し、その表面が下部側内扉１９の上面のパッキン１９Ａに広い範囲で密接するようになる。更に、下部側内扉１９が閉じられた場合には、下ヒレ部４５の先端も本体１０側に変形してその表面が下部側内扉１９の背面のパッキン１９Ａに密接するので、閉鎖部材４０と下部側内扉１９間も高い気密性でシールされることになる（図６）。
【００４３】
ここで、樹脂層４２でコーティングされた閉鎖部材４０であっても、上部側内扉１８及び下部側内扉１９により商品収納部１３が閉鎖されている状態で該商品収納部１３が冷却されると、閉鎖部材４０の前面側や各内扉１８、１９の背面等には結露が生じる場合がある。このとき、突出部４０Ａの下方に生じた結露水は、下部側内扉１９の上面が傾斜部１９Ｂとされていることから、下部側内扉１９の前面側に流れること無く、下部側内扉１９の上面の商品収納部１３側を幅方向に流れて下部側内扉１９の幅方向端部から本体１０内に排出されるようになる。
【００４４】
また、突出部４０Ａの上方に生じた結露水は、突出部４０Ａが斜め前上方に突出していることから、下部側内扉１９側に流れること無く、突出部４０Ａの上面にて受容され、その幅方向に流れて突出部４０Ａの幅方向端部から本体１０内に排出されることになる。これらにより、下部側内扉１９の上面に結露水が溜まり、それが開放されたときに自動販売機１の前方に滴下する不都合を解消若しくは抑制することができる。
【００４５】
以上詳述した如く本発明によれば、本体１０に取り付けられて本体１０の幅方向に渡る閉鎖部材４０を構成する金属製の基材４１表面に樹脂コーティングを施し、樹脂層４２を形成したので、閉鎖部材４０を伝わることで商品収納部１３内に画成された室１３Ａ、１３Ｂ間に生じる熱移動を抑制することが可能となり、冷却或いは加熱性能の悪化を解消若しくは抑制することができるようになる。
【００４６】
特に、コーティングされた樹脂層４２には長手方向に渡る上ヒレ部４３、中ヒレ部４４、及び、下ヒレ部４５を一体に成形し、上部側内扉１８及び下部側内扉１９が閉じられた状態で、各ヒレ部４３〜４５が各内扉１８、１９にそれぞれ密接するようにしたので、各ヒレ部４３〜４５と内扉１８、１９との密接により閉鎖部材４０と上部側内扉１８及び下部側内扉１９間の気密性を向上させ、閉鎖部材４０による各内扉１８、１９間の隙間のシール性を大幅に改善することができるようになり、両内扉１８、１９を閉じた状態での商品収納部１３からの冷気や暖気の漏洩を効果的に阻止することが可能となる。また、上部側内扉１８を開放し、下部側内扉１９を閉じた状態では商品収納部１３内下部からの冷気や暖気の流出も効果的に抑制される。
【００４７】
特に、商品収納部１３の各室１３Ａ、１３Ｂ内に前方に引き出し可能に設けられて商品を収納する複数の商品収納コラム３０間に渡って閉鎖部材４０が設けられ、各商品収納コラム３０の前端に当接しているので、閉鎖部材４０により商品収納コラム３０の前方への移動を阻止しながら、商品収納コラム３０から閉鎖部材４０を経由して他の商品収納コラム３０に直接伝わる熱移動も効果的に解消若しくは低減することが可能となる。
【００４８】
また、閉鎖部材４０には、実施例のようにその上部に位置して上部側内扉１８の背面のパッキン１８Ａに密接する上ヒレ部４３と、下部に位置して下部側内扉１９の背面のパッキン１９Ａに密接する下ヒレ部４５と、これら上下ヒレ部４３、４５間に位置して下部側内扉１９の上面のパッキン１９Ａに密接する中ヒレ部４４を形成しているので、上部側内扉１８では背面において、下部側内扉１９では上面と背面の両方で閉鎖部材４０との間がシールされ、気密性は一段と向上する。
【００４９】
尚、実施例では上部側内扉１８では背面のみ上ヒレ部４３が密接し、上部側内扉１８の下部側内扉１９側の面にはヒレ部は密接しない。即ち、突出部４０Ａの上面にはヒレ部を形成していないので、万一上部側内扉１８が自重で下がってしまった場合にも、閉鎖部材４０の係るヒレ部が干渉して上部側内扉１８が閉め難くなる不都合も発生しない。
【００５０】
また、上記実施例では閉鎖部材４０の上端部と下端部、及び、それらの間に上ヒレ部４３、下ヒレ部４５、中ヒレ部４４をそれぞれ形成し、図４に示すような湾曲形状としたが、請求項１や請求項２の発明ではヒレ部の数や位置、形状は実施例に限定されず、自動販売機１の寸法は形状に応じて適宜設定すると良い。
【符号の説明】
【００５１】
１  自動販売機
１０  本体
１３  商品収納部
１３Ａ  冷却専用室
１３Ｂ  冷温切換室
１８  上部側内扉
１９  下部側内扉
２０  外扉
３０  商品収納コラム
４０  閉鎖部材
４０Ａ  突出部
４１  基材
４２  樹脂層
４３  上ヒレ部
４４  中ヒレ部
４５  下ヒレ部
６０  取付板
Ｇ  隙間
【図１】
2014056384.tif 000003
【図２】
2014056384.tif 000004
【図３】
2014056384.tif 000005
【図４】
2014056384.tif 000006
【図５】
2014056384.tif 000007
【図６】
2014056384.tif 000008